(57)【要約】      （修正有）【課題】合成樹脂で形成された滑降路を有する遊具に着脱容易で、当該滑降路を滑り降りる際に人体に帯電する静電気を適切に除去可能な遊具用静電気除去部材を提供する。【解決手段】除電ユニット１の本体部は、金属製の導芯が樹脂性の除電カバー及びキャップにより被覆された二層構造をなす。除電カバーには、導芯を外部に連通させるための孔部が形成されている。アース部１５０と接続されたボタンボルト９を除電カバーに形成された孔部に嵌挿することにより、ボタンボルト９が導芯と連結されるとともに、除電ユニット１の本体部をパイプスライダーの出口に取り付けることができる。【選択図】図３
2010088867.tif 000002
【特許請求の範囲】
【請求項１】
合成樹脂で形成された滑降路を有する遊具に用いられ、前記滑降路の出口に取り付けられて該滑降路を滑降する人体から静電気を除去する遊具用静電気除去部材であって、
長尺の金属で形成された導電性芯部と、
前記導電性芯部より体積抵抗率の高い合成樹脂含有半導電性材料で形成され、前記導電性芯部の外周面に接するよう前記導電性芯部を内包して被覆する半導電性保護部であって、前記導電性芯部を露出させる取付孔を有する前記半導電性保護部と、
アース部材と、
前記取付孔を通じて前記アース部材を前記導電性芯部に電気的に接続する取付金具であって、前記導電性芯部に係合し前記導電性芯部を前記滑降路に脱着可能に取り付ける前記取付金具と、
を備える遊具用静電気除去部材。
【請求項２】
前記導電性芯部が筒状の壁部を有し、当該壁部に前記取付孔と連通した導電孔が形成されている前記遊具用静電気除去部材であって、
更に、前記取付孔と前記導電孔とに挿通された前記取付金具を係止する係止手段を備える、
請求項１に記載の遊具用静電気除去部材。
【請求項３】
前記半導電性保護部は、前記壁部を筒状に被覆する壁部保護部と、前記壁部の両端部に取り付けられたキャップ部とを有する、
請求項２に記載の遊具用静電気除去部材。
【請求項４】
前記出口の形状を規定する外縁部の少なくとも一部に配設された略平面状の第１の面と当該第１の面に開口した孔部とをもつ前記滑降路に取り付けられる前記遊具用静電気除去部材であって、
前記導電性芯部は、略平面状に形成された設置面を有し、
前記半導電性保護部は、前記設置面を被覆する略平面状の設置面保護部を有し、
前記取付孔は、前記設置面保護部を貫通するとともに、前記設置面を前記第１の面上に載置したときに前記孔部に連通する位置に配設されている、
請求項１から請求項３のいずれか一に記載の遊具用静電気除去部材。
【請求項５】
前記略平面状の第１の面が湾曲部を有する前記滑降路に取り付けられる前記遊具用静電気除去部材であって、
前記設置面は、前記湾曲部に沿った形状をもつ、
請求項４に記載の遊具用静電気除去部材。
【発明の詳細な説明】
【技術分野】
【０００１】
本発明は、合成樹脂で形成された滑降路を有する遊具に用いられ、当該滑降路を滑り降りる際に人体に帯電する静電気を除去するための遊具用静電気除去部材に関する。
【背景技術】
【０００２】
従来、遊園地や公園などに設置される大型遊具として、ジャングルジム、丸太登り、アーチネット、滑り台などや、これらを複合した総合遊具などが知られている。これらの大型遊具は、その用途や目的に応じて金属、木材及び合成樹脂などの各種材料を使用しつつ、安全性や耐久性などの仕様条件を満たすように設計及び製造されている。特に、滑り台の滑降路は、摩擦抵抗が小さいのみならず軽量で成形容易であるなどの理由から、ポリエチレン、アクリル樹脂及びポリカーボネート強化プラスチック（ＦＲＰ；ＦＩＢＥＲ  ＲＥＩＮＦＯＲＣＥＤ  ＰＬＡＳＴＩＣＳ）などの合成樹脂で製造等されることが多くなっている。
【０００３】
ところが、滑り台の滑降路を導電性が乏しい合成樹脂で形成すると、滑降路を滑り降りたときの摩擦で生じる静電気を利用者から逃がすことができず、利用者の人体や衣類が帯電することになる。例えば利用者が帯電した状態で金属等の通電物に接触したりすると、静電気の放電現象が発生して利用者に身体的及び精神的にショックを与えてしまう。特に、滑り台の利用者の大部分を占める小さな子供にとっては、静電気の放電による影響が極めて大きく、微量の放電であっても滑り台を怖がったり泣き出したりしてしまう子供が多いことから、滑り台での静電気の帯電防止を求める社会的ニーズが強い。更に、近年では、遊具の大型化に伴って滑り台の滑降路がより長くかつ複雑になっていることから、滑り台の利用時における利用者と滑降路との摩擦（ひいては、静電気の帯電電位）がますます大きくなり、滑り台での静電気の放電ショックが看過できないものとなっている。
【０００４】
そこで、従来、合成樹脂製の滑降路で発生する静電気を除去する滑り台に関する技術が、各種提案されている。具体的には、非導電性の樹脂材料で形成した滑降路の内面において、利用者が摺接する部分に板状又は粉末状の受電層を形成したり、利用者が摺接する部分に導電性保護部材で覆われた導電性テープを固着したりして、導電性部材（受電層及び導電性テープ）から利用者に滞留した静電気をアース線で地中に放逐するようにした滑り台が知られている（例えば、特許文献１及び２参照）。
【先行技術文献】
【特許文献】
【０００５】
【特許文献１】実公平３−３４２２２号公報
【特許文献２】特開２００４−６５８８０号公報
【発明の概要】
【発明が解決しようとする課題】
【０００６】
しかしながら、特許文献１に記載の発明のように、滑降路内面に板状導電体を嵌め込む場合は、当該板状導電体を嵌め込むための凹部を加工形成する必要があり、滑降路内面に粉末状導電体をコーティングする場合は、アース線を通すための小孔を滑降路底面に穿設する必要があった。また、特許文献２に記載の発明では、滑降路内面にて導電性テープ上を導電性塗料でコーティングする必要があった。特許文献１及び特許文献２に記載の発明では、いずれも作業者による加工工数が多くなり、滑り台の製造コストが高くなるという問題がある。
【０００７】
また、上記の従来技術のように、滑降路内面の利用者が摺接する部分に導電性部材を嵌め込んだりコーティングしたりすると、疲労劣化や経年劣化により導電性部材を交換する必要が生じたとしても、滑降路内面から導電性部材を引き抜いたりコーティングを剥がしたりする作業が必要となり、作業者の手間を生じるのみならず滑降路内面を傷つけるおそれがある。
【０００８】
更に、上記の従来技術のように、滑降路内面の利用者が摺接する部分に導電率の高い導体を設けた場合には、利用者の人体や衣類に高電位で帯電した状態で滑降路を滑り降りると、当該利用者が導体に近接したときに放電現象が起きる。そのため、滑り台の使用時における静電気を除去することはできても、当該静電気の放電ショックを完全には防止できないという問題があった。
【０００９】
本発明の目的は、合成樹脂で形成された滑降路を有する遊具に容易に着脱することができるとともに、当該滑降路を滑り降りる際に人体に帯電する静電気を適切に除去することができる遊具用静電気除去部材を提供することにある。
【課題を解決するための手段】
【００１０】
上記課題を解決するための本発明に係る遊具用静電気除去部材は、合成樹脂で形成された滑降路を有する遊具に用いられ、滑降路の出口に取り付けられて該滑降路を滑降する人体から静電気を除去する遊具用静電気除去部材であって、長尺の金属で形成された導電性芯部と、導電性芯部より体積抵抗率の高い合成樹脂含有半導電性材料で形成され、導電性芯部の外周面に接するよう導電性芯部を内包して被覆する半導電性保護部であって、導電性芯部を露出させる取付孔を有する半導電性保護部と、アース部材と、取付孔を通じてアース部材を導電性芯部に電気的に接続する取付金具であって、導電性芯部に係合し導電性芯部を滑降路に脱着可能に取り付ける取付金具を備えている。
【００１１】
「合成樹脂で形成された滑降路を有する遊具」は、少なくとも滑降路が合成樹脂で形成された遊具（例えば、滑り台）を意味し、遊具の全体が合成樹脂で形成されたものも含む。「滑降路」は、遊具の滑降開始位置から滑降終了位置までを構成する部材を意味し、利用者の臀部や腿部などが摺接する滑降面のみならず、利用者の掌が摺接する手摺や滑降開始位置及び滑降終了位置などに設けられたアーチなど滑降路の外縁形状を規定する枠状部を含む。「合成樹脂」は、電気抵抗が高く電気を通しにくい電気的特性を有する不導体（絶縁体）の樹脂材料であればよく、ポリエチレン、ＦＲＰ、アクリル樹脂及びポリカーボネートなどを含む。
【００１２】
「導電性芯部」は、電気抵抗が小さく電気を通しやすい電気的特性を有する導体の金属材料であればよいが、耐食性や耐久性に優れたアルミニウムが好適である。「長尺」とは、線状、棒状、板状、管状あるいはこれらの一部又はこれらの組み合わせで形成され所定の長手方向に沿って延在する形状であり、当該長手方向に対し垂直な平面における断面内の幅が当該長手方向における長さよりも小さい部位を意味し、遊具の滑降路における枠状部（例えば、手摺やアーチ）などへの取り付けに好適な形状である。
【００１３】
「半導電性保護部」は、絶縁体と導体の中間にあたる電気的特性を有する半導電性の合成樹脂を含有した材料で形成されていればよく、各種導電剤を合成ゴムに配合して１０５〜１０８Ωｃｍ（より好適には、１０７Ωｃｍ）の体積抵抗率を示す静電防止材などが例示される。半導電性保護部は導電性芯部の外周面に接するように設けられており、半導電性保護部の内部が導電性芯部の外周面と面接触した状態となるとともに、導電性芯部が半導電性保護部により被覆される。なお、半導体保護部は、導電性芯部の外周面に密接するように配設されていることが好ましい。
【００１４】
「取付金具」は、半導電性保護部を貫通するように形成された取付孔に挿脱されて、導電性芯部と半導電性保護部を主要素とする本体部を滑降路に着脱する金具であり、取付孔に嵌挿された状態で導電性芯部と連結される構造（すなわち、導電性芯部と電気的に導通可能な構造）を有していればよい。例えば、導電性芯部に形成される孔部に嵌入されるリベット、ボルト、ピンなどのほか、導電性芯部に溶着又は接着される部材であってもよく、導電性芯部に形成される切欠や突起に係合される部材であってもよい。ただし、「取付金具」は、少なくとも金属製の導体であることを要し、アース部材が電気的に導通可能となるように接続されることを要する。
【００１５】
上記解決手段によれば、遊具用静電気除去部材は、合成樹脂で形成された滑降路を有する遊具において人体に帯電する静電気を滑降路の出口で除去する。利用者が無意識に接触しやすい滑降路の出口に遊具用静電気除去部材を配設することにより、滑降後の利用者に帯電した静電気を確実かつ容易に除去することができる。異なる導電性を有する導電性芯部と半導電性保護部の２つの部材が二層構造をなすように本体部を形成する。半導電性保護部には取付孔が形成されており、取付孔に取付金具を嵌挿することで本体部が滑降路に取り付けられる一方、取付孔から取付金具を抜脱することで本体部が滑降路から取り外される。
【００１６】
また、本体部では導電性芯部及び半導電性保護部は物理的に密接して導通するとともに、取付金具が取付孔に嵌挿されると取付金具が導電性芯部に連結されて、導電性芯部が取付金具を介してアース部材と導通することになる。そして、静電気が帯電した利用者が半導電性保護部に接触すると、静電気が半導電性保護部から導電性芯部に逃がされ、更に導電性芯部から取付金具を介してアース部材に逃がされて地中に放逐される。
【００１７】
このように、遊具用静電気除去部材の本体部を滑降路に取り付ける場合には、アース部材に接続された取付金具を取付孔に嵌挿するだけでよく、本体部を滑降路から取り外す場合には、アース部材に接続された取付金具を取付孔から抜脱するだけでよい。そのため、作業者に多大な手間を生じることなく、かつ製造コストを抑制しつつ、合成樹脂で形成された滑降路を有する遊具に遊具用静電気除去部材を着脱することができる。
【００１８】
更に、本体部は、導電性芯部が外周側から半導電性保護部によって被包された二層構造をもつ。本体部の金属製の導電性芯部が外部に露出しないため、利用者は樹脂製の半導電性保護部のみに接触可能となる。これにより、利用者が金属製の導電性芯部に接触して怪我をしたり放電現象が発生したりするおそれがなく、弾力性を有する樹脂製の半導電性保護部に接触することで安全かつ緩やかに静電気を除去することができる。
【００１９】
また、本発明に係る遊具用静電気除去部材において、半導電性保護部は、壁部を筒状に被覆する壁部保護部と、壁部の両端部に取り付けられたキャップ部と、を有することが好ましい。本解決手段によれば、壁部保護部で導電性芯部の外周面を被覆するとともに、キャップ部で導電性芯部の両端部を被覆するため、従来のコーティング等と比べて簡易な作業工程で導電性芯部が外部に露出しない本体部を製造することができる。
【００２０】
また、本発明に係る遊具用静電気除去部材において、当該遊具用静電気除去部材が取り付けられる滑降路が、出口の形状を規定する外縁部の少なくとも一部に配設された略平面状の第１の面と当該第１の面に開口した孔部とをもち、導電性芯部は、略平面状に形成された設置面を有し、半導電性保護部は、設置面を被覆する略平面状の設置面保護部を有し、取付孔は、設置面保護部を貫通するとともに、設置面を第１の面上に載置したときに孔部に連通する位置に形成されていることが好ましい。本解決手段によれば、導電性芯部に略平面状の設置面が形成され、半導電性保護部に略平面状の設置面保護部が形成されているので、設置面保護部を介して設置面を滑降路に対して面接触させることで、本体部を確実に固定することができる。取付孔は設置面を滑降路の第１の面に合わせたときに第１の面に開口した孔部のいずれかと対になり、取付金具により取付可能となる位置に予め配設されていることが好ましい。本体部を滑降路に取り付ける際に取付金具を取り付けるための孔部を滑降路にその都度穿設する必要がなく、本体部の取り付け作業を迅速かつ正確に行うことができる。
【００２１】
また、本発明に係る遊具用静電気除去部材において、当該遊具用静電気除去部材が取り付けられる滑降路の略平面状の第１の面が湾曲部を有し、設置面が当該湾曲部に沿った形状をもつことが好ましい。滑降路の略平面状の部位を正面視したときに、遊具用静電気除去部材が略平面状の部位の外形からはみ出さない程度に本体部を形成することが好ましい。本解決手段によれば、滑降路が有する枠状部（例えば、手摺やアーチなど）の外縁形状に沿って、本体部が予め湾曲形成されているので、利用者が滑り降りるのに邪魔にならない枠状部の外縁位置に、本体部を正確に取り付けることができる。また、設置面は滑降路における枠状部の外縁に沿って取り付け可能であるため、本体部を取り付けても遊具の意匠性を損なうことなく確実に固定することができる。
【００２２】
また、本発明に係る遊具用静電気除去部材において、アース部材は、少なくとも２つの開口をもつ中空の支柱と、一の当該開口からフランジ状に延設されて取付金具を挿通可能に形成されたアース取付孔をもつアース取付部材と、支柱の内部に挿通されて２つの開口から導出されたアース線とを有することが好ましい。取付金具は、アース取付孔に挿通されてアース取付部材を滑降路に取り付け、アース線を導電性芯部に電気的に接続することができる。地表に立設された支柱内にアース線を配設することにより、遊具の支柱を使わずに静電気を逃がすことができる。独自の支柱を備え、遊具の支柱を使わないため、遊具の支柱までアース線を取り回す部材を不要とすることができる。アース線は、支柱内に配設されているため、外的な要因によるアース線の切断を防ぐことができる。
【００２３】
更に、本発明に係る遊具用静電気除去部材と、合成樹脂で形成された滑降路と、遊具用静電気除去部材とを備えた遊具にあっては、遊具用静電気除去部材が取付金具により滑降路の出口に取り付けられる。利用者が無意識に接触しやすい滑降路の出口に遊具用静電気除去部材を配設することにより、滑降後の利用者に帯電した静電気を確実かつ容易に除去することができる。
【発明の効果】
【００２４】
本発明によれば、合成樹脂で形成された滑降路を有する遊具に静電気対策を容易に施すことができるとともに、当該滑降路を滑り降りる際に人体に帯電する静電気を適切に除去することができる。
【図面の簡単な説明】
【００２５】
【図１】本発明の一実施形態に係る総合遊具の模式的正面図である。
【図２】図１のパイプスライダー付近における総合遊具の拡大斜視図である。
【図３】図１のスライダー出口付近における総合遊具の部分側面図である。
【図４】図１のスライダー出口を正面視した総合遊具の部分正面図である。
【図５】図３のＡ−Ａ線における矢視方向断面図である。
【図６】図４のＢ−Ｂ線における矢視方向断面図である。
【図７】図３のＣ−Ｃ線における矢視方向断面図である。
【図８】具体的な使用態様を例示する総合遊具の部分断面図である。
【図９】本発明の他の実施形態に係る総合遊具の部分側面図である。
【図１０】図９のアース部の正面図である。
【図１１】図９のアース部の正面図（変形例）である。
【発明を実施するための形態】
【００２６】
図１は、第１の実施形態に係る総合遊具１００の模式的正面図である。総合遊具１００は、各種滑り台及びアーチネット登りのほか、図示しない半割り丸太登りなどの複数の遊具が組み合わされた大型複合遊具である。本実施形態では、遊具用静電気除去部材としての除電ユニット１がポリエチレン製のパイプスライダー１０７に取り付けられた総合遊具１００について説明する。
【００２７】
図１に示すように総合遊具１００は、地表に対して垂直に立設された複数の支柱１０１を有している。支柱１０１の適当な高さ位置には、床板１０２、屋根１０３、装飾パネル１０４及び手摺１０５などが適宜取り付けられている。更に、床板１０２や装飾パネル１０４を介して各種遊具が適宜取り付けられている。なお、総合遊具１００を構成する各種遊具は、床板１０２や装飾パネル１０４を介することなく、複数の支柱１０１に直接取り付けられていてもよい。
【００２８】
具体的には、アーチネット登りを構成するビニロンネット１０６は、床板１０２の一側面側から地表にかけて側面視で緩やかな円弧を描くように設置されている。
【００２９】
滑り台を構成する内部密閉型のパイプスライダー１０７は、装飾パネル１０４に接合された上端のスライダー入口１１２から地表付近に配設された下端のスライダー出口１１３に向けて傾斜するように設置されている。パイプスライダー１０７は、スライダー入口１１２付近及びスライダー出口１１３付近において、それぞれ、地表から立設されたスライダー支柱１０９及び１１０により下方から支持されている。スライダー支柱１０９、１１０により、パイプスライダー１０７の全長の増大に伴う耐久性の低下及びこれに伴う破損やひび割れを防ぐことができ、更に、パイプスライダー１０７が地表に接触して内部に地表から砂や雨水などが流入することを防ぐことができる。
【００３０】
パイプスライダー１０７のスライダー出口１１３付近には遊具用静電気除去部材として一対の除電ユニット１が取り付けられている。
【００３１】
図２は、パイプスライダー１０７の斜視図である。図２に示すようにパイプスライダー１０７は、滑降開始位置となるスライダー入口１１２から滑降終了位置となるスライダー出口１１３まで順に連設されたパイプ体１２０ａ〜ｅにより構成されている。
【００３２】
パイプ体１２０（以下、パイプ体１２０ａ〜ｅ及び他のパイプ体を区別せずに説明する場合はパイプ体１２０と表記する。）は、ポリエチレン製の湾曲した大型円筒体であり、共通の肉厚及び断面形状を有している。本実施形態のパイプ体１２０は、直径６００ｍｍ程度の略真円の環状断面を有し、利用者の荷重に耐える１０ｍｍ程度の肉厚を有している。各パイプ体１２０は、断面の形状及び大きさを維持しつつ、外周方向に湾曲するように形成されている。本実施形態の各パイプ体１２０の断面中心を通る蛇行した中心線に沿った全長（中心線長さ）は６００ｍｍ〜８００ｍｍ程度である。パイプ体１２０ａ〜１２０ｄの図示されていない両端部の開口、及び、パイプ体１２０ｅの上端部の開口は各パイプ体１２０の中心線に直交する真円形状となるように形成されている。各パイプ体１２０の両端部の開口の外縁には、外周方向に突出したフランジが形成されている。各フランジには外縁に沿って所定間隔離れた位置に複数のボルト孔が穿設されている。なお、本実施形態で示す数値は一例であり、これに限られるものではない。
【００３３】
パイプ体１２０ａの上端開口は、立設された装飾パネル１０４の略中央位置を水平方向に貫通した開口部１０４ａに連通するように取り付けられている。隣接するパイプ体１２０は、フランジを重ね合わせて開口及びボルト孔が連通するように位置決めされ、当該ボルト孔に挿通されたボルト及びナットで接合されている。パイプ体１２０ａ〜ｅが連設されて一体の長尺円筒状をなすことにより、パイプスライダー１０７内周面には利用者が滑降可能な連続的な滑降面１１４が形成されている。断面形状及び肉厚が共通のパイプ体１２０が互いの開口を一致させて接合されているため、パイプ体１２０の接合位置での段差が抑制され、パイプスライダー１０７内の滑降面１１４が滑らかとなる。
【００３４】
パイプスライダー１０７内には滑降する利用者からみて略右下方向に蛇行する滑降路が形成されている。本実施形態のパイプスライダー１０７には全長およそ３５００ｍｍの滑降路が形成されている。なお、パイプスライダー１０７の滑降路の全長は、パイプ体１２０の連設数を増やすことにより任意に増減させることができる。湾曲の度合いが異なる種々のパイプ体１２０を連設することにより、滑降方向における滑降面１１４の傾斜程度に強弱をもたせたり、滑降方向を適宜左右にカーブさせたりすることができ、滑降路全体に様々な変化をもたせることができる。
【００３５】
下方に配設されたパイプ体１２０ｄ及び１２０ｅは、上方に配設されたパイプ体１２０ａ〜ｃに比べて地表に対する傾斜角が小さくなるように形成されている。パイプスライダー１０７内を滑り降りる利用者は、スライダー出口１１３に至るまでに傾斜角の小さいパイプ体１２０ｄ及び１２０ｅで減速して自然に停止するため、利用者が滑降する勢いで地表に飛び出して怪我することを防止できる。
【００３６】
図３は、除電ユニット１が取り付けられたスライダー出口１１３付近におけるパイプスライダー１０７の部分側面図である。図３に示すようにパイプ体１２０ｅの下端部開口をなすスライダー出口１１３は、側面視で地表面に対して略４５度傾斜した平面内に規定されている。図４は、除電ユニット１が取り付けられたパイプスライダー１０７のスライダー出口１１３を正面視した部分正面図である。図４に示すようにスライダー出口１１３は、正面視で上下方向（縦方向）を長手とする楕円形状をなし、斜め上方に開いている。楕円形状をなすスライダー出口１１３は、真円状をなすパイプ体１２０ｅの上端開口及びパイプ体１２０ａ〜ｄの両端開口より大きな面積をもつため、滑降を終えた利用者はスライダー出口１１３を通じて地表に出やすくなり、パイプ体１２０ｅの内周面に頭部をぶつけて怪我をすることが防止される。
【００３７】
図４に示すように、スライダー出口１１３の外縁には外周方向に所定量突出したフランジ状のアーチ部１２１が形成されている。アーチ部１２１のスライダー出口１１３側表面は、スライダー出口１１３を規定する平面に沿って略平面状に形成されている。以下、本実施形態のスライダー出口１１３側表面をフランジ面１２１ａと称する。アーチ部１２１には、フランジ面１２１ａから裏面１２１ｂまで貫通する６つのボルト孔１２２が形成されている。ボルト孔１２２は、左右対称に３つずつ、フランジ面１２１ａの楕円形状に沿って配設されている。アーチ部１２１は、スライダー出口１１３の輪郭を形成するのみならず、利用者がパイプ体１２０ｅ内から地表側に身を乗り出す動作を補助する手摺としても機能する。
【００３８】
図４に示ようにパイプ体１２０ｅにはスライダー出口１１３を正面視したときに左右対称となるように２つの除電ユニット１が取り付けられている。図３に示すように各除電ユニット１は、本体部５、３つのボタンボルト９、アース部１５０により構成され、アーチ部１２１の裏面１２１ｂからパイプ体１２０ｅの下部及びスライダー支柱１１０を通って地中まで延設されている。
【００３９】
図４に示すように２つの本体部５は、長尺棒状の外観をなし、アーチ部１２１の上端部及び下端部を通る仮想的な中心線を挟んで線対称となるようにフランジ面１２１ａに取り付けられている。各本体部５は、フランジ面１２１ａを規定する平面に沿って、アーチ部１２１の円周に長手方向を一致させるようにブーメラン型に湾曲形成されている。本実施形態では、本体部５の長手方向における両端部間の直線長さが５００ｍｍとなるように形成されている。各本体部５の曲率は、アーチ部１２１がなす楕円形状の曲率（Ｒ＝６００）と略一致している。各本体部５の幅は、フランジ面１２１ａの外周方向におけるフランジ幅（３１．５ｍｍ）と略一致しており、フランジ面１２１ａを正面視したとき各本体部５がアーチ部１２１からはみ出さないような形状をもつ。これにより、外観上の美観が保たれるだけでなく、滑降終了位置となるスライダー出口１１３にて滑降者が怪我等することなく、静電除去を図ることが可能となる。なお、２つの本体部５をあわせた全長は、アーチ部１２１の全周の少なくとも１／２を占める。
【００４０】
図５は、図３のＡ−Ａ線における矢視方向断面図である。図６は、図４のＢ−Ｂ線における矢視方向断面図である。図４に示す本体部５は、図５に示す導芯２、除電ラバー３、ポップナット１１と、図６に示すキャップ４及び皿ビス１３により構成されている。
【００４１】
図５に示す導芯２は、耐食性や耐久性に優れたアルミニウム製の細長筒状体であり、体積抵抗率が小さく電気を通しやすい電気的特性を有している。本体部５の形状は導芯２の形状によってほぼ定められるため、本体部５を取り付ける部位の範囲や形状などに応じて、あらかじめ導芯２が最適に加工形成されている。本実施形態の導芯２は、フランジ面１２１ａに取り付けるのに適するように加工形成されている。具体的には、導芯２は図４に示す本体部５に沿う長尺棒状の外観をなし、アーチ部１２１がなす楕円の円周に長手方向を一致させるようにブーメラン型に湾曲形成されている。本実施形態では、導芯２の長手方向における両端部間の直線長さは、本体部５の両端部間の直線長さ（５００ｍｍ）よりも若干小さくなるように形成されている。導芯２の幅は、フランジ面１２１ａの外周方向におけるフランジ幅（３１．５ｍｍ）よりも若干小さくなるように形成されている。導芯２の曲率は本体部５の曲率（Ｒ＝６００）に一致するように形成されている。
【００４２】
図５に示すように導芯２は四角形状の断面をもち、断面の角部分が円みを帯びるように曲げ加工されている。具体的には導芯２は、一体的に筒状体をなすように形成された平板状の４つの壁部７ａ〜７ｄにより構成されている。断面形状でみたとき下方に位置する壁部７ａは、フランジ面１２１ａに沿って配設されている。壁部７ｂは、フランジ面６ａの外周方向内側における壁部７ａの一端縁から上方に延設されている。壁部７ｃは、一端縁において壁部７ｂの上縁部につながり、壁部７ｂの上端縁から壁部７ａに略平行に延設されている。フランジ面１２１ａの外周方向に沿った壁部７ｃの幅は、壁部７ａよりも狭くなるように形成されている。壁部７ｄは、壁部７ｃの他端縁から壁部７ａの他端縁まで緩やかに下降するように延設されている。なお、ここで上下方向は便宜上規定したものである。壁部７ａは、フランジ面１２１ａに面する略平面状の設置面６をもつ。壁部７ａには設置面６ａから内面まで貫通した孔部２ａが形成されている。孔部２ａは、図４に示す１２２に重なる位置に６箇所形成されている。
【００４３】
図５に示す除電ラバー３は、各種導電剤を合成ゴムに配合した静電防止材であり、絶縁体と導体の中間にあたる半導電性の電気的特性を有し、１０５〜１０８Ωｃｍの体積抵抗率を示す。なお、除電ラバー３の体積低効率は１０７Ωｃｍであることが好ましい。除電ラバー３は、肉厚１ｍｍ程度の薄膜筒状体であり、導芯２の外周面を被覆している。具体的には、除電ラバー３は四角形状の断面をもち、導芯２の外周断面と略一致する内周断面を有する。除電ラバー３の断面の角部分は、導芯２に沿って円みを帯びている。図６に示すように除電ラバー３は、長手方向において導芯２と略一致する長さを有し、導芯２の両端部まで導芯２を被覆している。製造時には導芯２を除電ラバー３に内挿することにより、除電ラバー３の内面を導芯２外周面に密接に面接触させることができる。図５に示すように除電ラバー３は、導芯２の設置面６を略平面状に被覆している。除電ラバー３には、導芯２の孔部２ａに連通した孔部３ａが６箇所に形成されている。
【００４４】
図５に示すように、導芯２の孔部２ａと除電ラバー３の孔部３ａには、雌ネジが切られた鉄製のポップナット１１が予め挿入されて、マンドレル等を用いて導芯２に締結されている。
【００４５】
図４に示すように、本体部５の両端部には除電ラバー３と同一材料で形成されたキャップ４が取り付けられている。図６に示すように、キャップ４は除電ラバー３及び導芯２の開口を封止して導芯２の両端縁部を被覆する。キャップ４には、導芯２及び除電ラバー３の端縁部を挿嵌可能となるように、導芯２の長手方向に沿った凹陥部４ａが形成されている。導芯２及び除電ラバー３の端縁部は、凹陥部４ａに嵌め込まれて保持されるとともに、少なくとも導芯２の端縁部が露出しないように被覆されている。
【００４６】
凹陥部４ａは、設置面６を被覆する除電ラバー３がフランジ面１２１ａ側に開放されるように形成された段差部４ｂを有する。段差部４ｂにおけるフランジ面１２１ａからの深さは、導芯２及び除電ラバー３の端縁部がキャップ４に嵌め込まれたときに、設置面６を被覆する除電ラバー３の表面がキャップ４のフランジ面１２１ａ側下面に段差なく滑らかに連続的に配置できる程度である。
【００４７】
導芯２の各端縁部付近には、壁部７ａを貫通した係止孔２ｂが形成されている。除電ラバー３には、係止孔２ｂに連通する係止孔３ｂが形成されている。段差部４ｂには、フランジ面１２１ａに向かって開口したネジ孔４ｃが形成されている。ネジ孔４ｃは、キャップ４に導芯２及び除電ラバー３の端縁部が嵌め込まれたときに、係止孔２ｂ及び係止孔３ｂに連通する位置に形成されている。ネジ孔４ｃには、あらかじめ雌ネジが切られたインサートナット１２が埋設されている。係止孔２ｂ、係止孔３ｂ及びネジ孔４ｃが連通した状態で、係止孔２ｂ及び係止孔３ｂから突出しない程度の頭部を有する皿ビス１３をインサートナット１２に締結する。インサートナット１２の頭部が係止孔２ｂ及び係止孔３ｂ内に閉じ込められることにより、キャップ４の挿脱方向への移動が規制され、導芯２及び除電ラバー３の端縁部からキャップ４が落下することが防止される。
【００４８】
図５に示すように、本体部５は、設置面６を被覆する除電ラバー３を介してフランジ面１２１ａに面接触し、導芯２の孔部２ａ及び除電ラバー３の孔部３ａがアーチ部１２１のボルト孔１２２に連通するように載置されている。アーチ部１２１の裏面１２１ｂ側からボルト孔１２２、導芯２の孔部２ａ及び除電ラバー３の孔部３ａに六角穴付きのボタンボルト９が挿入されている。ボタンボルト９の胴部９ｂがポップナット１１で係止されることにより、本体部５がフランジ面１２１ａに密着固定されている。ボタンボルト９の頭部９ａとアーチ部１２１の裏面１２１ｂの間にはワッシャー１０が介在している。図３に示すように、各本体部５は３つのボタンボルト９によりアーチ部１２１に固定されている。
【００４９】
本体部５をアーチ部１２１に取り付ける際には、図５に示すようにボタンボルト９をアーチ部１２１の裏面１２１ｂ側から挿入し、ボルト孔１２２、導芯２の孔部２ａ及び除電ラバー３の孔部３ａを通じてポップナット１１に係止させる。本体部５をアーチ部１２１から取り外す場合は、ボタンボルト９のポップナット１１による係止を解除して、当該ボタンボルト９を導芯２の孔部２ａ、除電ラバー３の孔部３ａ及びボルト孔１２２から抜脱する。
【００５０】
図３に示すようにアース部１５０は、可撓性を有する合成ゴム製の中空チューブ１６０と、中空チューブ１６０内を通るように配設されたコード１５３と、コード１５３の一端に接続された端子部１５１と、コード１５３の他端に接続されたアース棒１５２により構成されている。
【００５１】
図３に示すように端子部１５１は、各本体部５を固定する３本のボタンボルト９のうち、最も下方に位置するボタンボルト９に接続されている。端子部１５１は、複数のボタンボルト９のうちの少なくとも１本に接続されていればよい。中空チューブ１６０は、端子部１５１が接続されたボタンボルト９付近からアーチ部１２１の裏面１２１ｂ及びパイプ体１２０ｅの下部に沿ってスライダー支柱１１０付近まで延設されており、パイプ体１２０ｅに貼着又は接着されることにより固定されている。本実施形態では、１つの中空チューブ１６０を２つの除電ユニット１で共用している。図７は、図３のＣ−Ｃ線における矢視方向断面図である。図７に示すようにスライダー支柱１１０には、中空チューブ１６０に近接する部位に貫通孔１１１が形成されており、貫通孔１１１がスライダー支柱１１０の中空内部を経由して地表まで連通している。アース棒１５２はスライダー支柱１１０の下方において地中に埋設されている。
【００５２】
以上説明したように、除電ユニット１の本体部５は、パイプスライダー１０７を滑降する人体に帯電する静電気を除去するために、図５及び図６に示すように異なる導電性を有する導芯２と除電ラバー３による二層構造及び、導芯２とキャップ４による二層構造を有している。静電気が帯電している利用者が除電ラバー３に接触すると、静電気が除電ラバー３から導芯２に逃がされ、更に導芯２からボタンボルト９を介してアース部１５０に逃がされて最終的に地中に放逐される。
【００５３】
次に、総合遊具１００の具体的な使用態様を説明する。図８は、パイプスライダー１０７を利用者が滑降する様子を示す総合遊具１００の部分断面図である。利用者は、図２に示すスライダー入口１１２からパイプスライダー１０７に進入して滑降を開始する。図８に示すようにパイプスライダー１０７はスライダー出口１１３の近傍にて傾斜角度が徐々に小さくなるため、利用者はスライダー出口１１３に至るまでに自然に停止する。スライダー出口１１３付近に到達した利用者は、パイプスライダー１０７の内周面に頭部を強打しないように、中腰の姿勢でスライダー出口１１３まで前進して地表に戻る。中腰の姿勢は不安定で前進しにくいため、利用者はスライダー出口１１３に設けられたアーチ部１２１を把持して腕の力で姿勢をサポートする動作を行なう。
【００５４】
アーチ部１２１の左右位置には、利用者が把持しやすいフランジ面１２１ａに沿って、一対の除電ユニット１の本体部５が配置されている。一対の本体部５は、アーチ部１２１の全周の少なくとも１／２を占める長尺体であるため、パイプスライダー１０７を滑り終えた利用者は、必然的かつ無意識に除電ユニット１に接触する。利用者が接触しやすい位置に除電ユニット１を配置することにより、利用者に帯電した静電気を確実かつ容易に除去することができる。
【００５５】
図６に示すように本体部５を構成する金属製の導芯２が、樹脂製の除電ラバー３及びキャップ４より被覆されて外部に露出していないため、利用者が導芯２に当接して怪我をしたり放電現象が発生したりする不具合を防止することができる。本体部５は、図５に示すように設置面６を保護する除電ラバー３を介してアーチ部１２１に面接触しているため隙間の発生が抑制されている。なお、導芯２を折り曲げ形成する際には、隙間が設置面６内に収まるようにすることが好ましい。更に、本体部５を構成する導芯２、除電ラバー３、キャップ４の外周形状は図５及び図６に示すように円みを帯びている。本体部５が隙間を低減する構造を有し、丸みを帯びた形状をもつことにより、利用者が手を挟めたり傷つけたりする危険が低減する。
【００５６】
利用者が接触する除電ラバー３及びキャップ４は半導電性の電気特性をもっているため、放電現象を起こさずに利用者から円滑に静電気が取り除くことができる。利用者から取り除かれた静電気は図５の除電ラバー３から導芯２及び図３のアース部１５０を通じて迅速に地中に放逐される。このように、除電ユニット１は、利用者に帯電する静電気を安全かつ迅速に取り除くことができる。
【００５７】
以上説明したように、本実施形態の除電ユニット１を使用すれば、本体部５をパイプスライダー１０７（詳細には、アーチ部１２１のフランジ面１２１ａ）に取り付ける場合には、アース部１５０と接続されたボタンボルト９を孔部２ａ、３ａ（詳細には、ポップナット１１）に嵌挿するだけでよく、本体部５をパイプスライダー１０７から取り外す場合には、アース部１５０と接続されたボタンボルト９を孔部２ａ、３ａから抜脱するだけでよい。そのため、作業者に多大な手間を生じることなく、かつ製造コストを抑制しつつ、合成樹脂（ここでは、ポリエチレン）で形成されたパイプスライダー１０７を有する総合遊具１００に除電ユニット１を着脱することができる。
【００５８】
更に、本体部５は、導芯２が外周側から除電ラバー３（及びキャップ４）によって被包された二層構造をなす。本体部５は、金属製の導芯２が外部に露出しないため、利用者は樹脂製の除電ラバー３（及びキャップ４）のみに接触可能となる。利用者が金属製の導芯２に接触しないため利用者の怪我や放電現象が発生することを防止できる。利用者は弾力性を有する樹脂製の除電ラバー３（又はキャップ４）に接触するため、安全かつ緩やかに静電気を除去することができる。
【００５９】
また、導芯２は、その内部が中空をなす筒状体であるため、除電ユニット１を軽量化することができる。更に、導芯２は、除電ラバー３でその外周面が被覆されるとともに、キャップ４でその両端部が被覆されるため、従来のコーティング等と比べて簡易な作業工程で導芯２が外部に露出しない除電ユニット１を製造することができる。
【００６０】
また、本体部５に略平面状の設置面６が形成されているので、この設置面６をパイプスライダー１０７に面接触させることで、本体部５を確実に固定することができる。更に、孔部２ａ、３ａは、パイプスライダー１０７に形成される複数のボルト孔１２２のいずれかと対応するように予め形成されているので、本体部５をパイプスライダー１０７に取り付ける際にボタンボルト９を取り付けるためのボルト孔１２２をパイプスライダー１０７にその都度穿設する必要がなく、本体部５の取り付け作業を迅速かつ正確に行うことができる。
【００６１】
また、パイプスライダー１０７が有するアーチ部１２１のフランジ面１２１ａに沿って、本体部５は予め湾曲形成されているので、利用者が滑り降りるのに邪魔にならないアーチ部１２１のフランジ面１２１ａに、本体部５を正確に取り付けることができる。また、本体部の設置面６は、アーチ部１２１のフランジ面１２１ａに沿って取り付け可能であるため、本体部５を取り付けても総合遊具１００の意匠性を損なうことなく確実に固定することができる。
【００６２】
次に、図９及び図１０を参照して本発明の第２の実施形態に係る総合遊具２００について説明する。第２の実施形態の総合遊具２００は図１と同様の構造を有しているが、図９のパイプ体１２０ｅ側面付近における部分拡大図に示すように、第１の実施形態の除電ユニット１とは異なる構造を有する除電ユニット２０１を備えている。
【００６３】
図９に示すように、本実施形態の除電ユニット２０１は、本体部５、３つのボタンボルト９、及び、アース部１５０で構成されている。本実施形態では、２つの除電ユニット２０１が１つのアース部１５０を共用している。図１０の正面図に示すようにアース部２０２は、湾曲支柱２１０、支持支柱２１１、アース線２１２、六角ボルト２１３、アース棒２１４、及び、取付プレート２１５により構成されている。
【００６４】
湾曲支柱２１０は、長尺円筒形状をなし、長手方向が図９のパイプ体１２０ｅ断面直径よりも大きな円弧の一部をなすように湾曲形成されている。湾曲支柱２１０の両端部には、直線状の部位が屈曲形成されている。湾曲支柱２１０の直線状の部位は、湾曲支柱２１０の湾曲方向に沿う平面に直交している。図１０に示すように湾曲支柱２１０は湾曲凸方向を下に向けた状態で配設されている。２本の支持支柱２１１は、長尺円筒形状をなし、湾曲支柱２１０の長手方向中央付近から下方に向けて延設され、下端付近において梁状の板材により水平方向に結合されている。２本の支持支柱２１１内部の空洞は湾曲支柱２１０内部の空洞に連接されている。一方の支持支柱２１１下端付近には図示しない導入孔が形成されている。導入孔は六角ボルト２１３を係止可能に形成されている。アース線２１２は、一端においてアース棒２１４の上端部に接続され、支持支柱２１１の導入孔から支持支柱２１１内に挿通され、支持支柱２１１と湾曲支柱２１０の接続部付近において分岐し、湾曲支柱２１０の両端部開口から外部まで延びている。アース線２１２は、導入孔において六角ボルト２１３により支持支柱２１１に固定されている。湾曲支柱２１０の両端部には、フランジ状に広がり外縁形状が四角をなす板材で形成された取付プレート２１５が、湾曲支柱２１０と一体形成されている。各取付プレート２１５には、厚み方向に貫通したアース取付孔２１６が形成されている。
【００６５】
ただし、例えば、端子部１５１に接続されたコード１５３を支持支柱に接合させれば、アース線２１２は、必ずしも支持支柱２１１の導入孔から支持支柱２１１内に挿通される必要はない。なぜなら、この場合、支持支柱２１１自体がアースとして機能するからである。なお、支持支柱２１１が鉄製である場合には防錆塗装等が施されているのが一般的であるが、このとき、少なくともコード１５３が接合される部分は、防錆等の観点から例えばステンレス等で構成されることが好ましい。
【００６６】
図９に示すように各取付プレート２１５は、アーチ部１２１の裏面１２１ｂに最下端の各ボルト９により固定されている。湾曲支柱２１０の両端部から導出されたアース線２１２の端部はボルト９により導通するように固定されている。アース部２０２は、地面に固定された支持支柱２１１によって固定支持されている。アース棒２１４は、地中に埋設されている。
【００６７】
パイプスライダー１０７を滑降した利用者が除電ユニット２０１の本体部５に接触すると、利用者に帯電した静電気が本体部５に逃げる。本体部５に逃げた静電気は、ボルト９、アース線２１２、アース棒２１４を順に伝導して地中に放逐される。
【００６８】
本実施形態のアース部２０２によれば、地表に立設された支持支柱２１１内にアース線２１２を配設することにより、総合遊具２００の支柱１１０を使わずに静電気を放逐することができる。アース部２０２は、独自の支持支柱２１１を備え、遊具の支柱１１０を使わないため、総合遊具２００の支柱１１０までアース線２１２を取り回す部材を不要とすることができる。本実施形態のアース線２１２は、湾曲支柱２１０及び支持支柱２１１内に配設されているため、外的な要因によるアース線２１２の切断を防ぐことができる。
【００６９】
なお、アース部２０２は上述した態様に限定されるものではなく、例えば図１１に示すようなアース部２２０であってもよい。アース部３０２を構成する湾曲支柱２１０及び支持支柱２１１は、導電性の金属材料で形成されている。図１１のアース部２２０は、アース線２１２が湾曲支柱２１０及び支持支柱２１１内に挿通されておらず、六角ボルト２１３により支持支柱２１１に導通されているのみである。図９に示すボタンボルト９にはアース線２１２が接続されておらず、取付プレート２１６がボタンボルト９に導通している。
【００７０】
パイプスライダー１０７を滑降した利用者が除電ユニット２０１の本体部５に接触すると、利用者に帯電した静電気が本体部５に逃げる。本体部５に逃げた静電気は、ボルト９、取付プレート２１５、湾曲支柱２１０、支持支柱２１１、六角ボルト２１３、アース線２１２、アース棒２１４を順に伝導して地中に放逐される。
【００７１】
本実施形態のアース部２２０によれば、地表に立設された金属製の支持支柱２１１内にアース線２１２を接続することにより、総合遊具２００の支柱１１０を使わずに静電気を放逐することができる。アース部２２０は、独自の支持支柱２１１を備え、遊具の支柱１１０を使わないため、総合遊具２００の支柱１１０までアース線２１２を取り回す部材を不要とすることができる。アース部２２０によれば、アース線２１２を湾曲支柱２１０及び支持支柱２１１内に挿通させないため、アース線２１２を取り回す距離を短くすることができる。
【００７２】
以上説明したように、本実施形態の除電ユニット２０１を使用すれば、本体部５をパイプスライダー１０７（詳細には、アーチ部１２１のフランジ面１２１ａ）に取り付ける場合には、アース部１５０と接続されたボタンボルト９を孔部２ａ、３ａ（詳細には、ポップナット１１）に嵌挿するだけでよく、本体部５をパイプスライダー１０７から取り外す場合には、アース部２０２と接続されたボタンボルト９を孔部２ａ、３ａから抜脱するだけでよい。そのため、作業者に多大な手間を生じることなく、かつ製造コストを抑制しつつ、合成樹脂（ここでは、ポリエチレン）で形成されたパイプスライダー１０７を有する総合遊具２００に除電ユニット２０１を着脱することができる。
【００７３】
ところで、上記の実施形態において、除電ユニット１及び除電ユニット２０１が本発明の「遊具用静電気除去部材」に相当する。導芯２が、本発明の「導電性芯部」に相当する。除電ラバー３及びキャップ４が、本発明の「半導電性保護部」に相当する。除電ラバー３の孔部３ａが、本発明の「取付孔」に相当する。ボタンボルト９が、本発明の「取付金具」に相当する。導芯２の壁部７ａ〜７ｄが、本発明の「壁部」に相当する。導芯２の孔部２ａが、本発明の「導電孔」に相当する。ポップナット１１、及び、ポップナット１１とボタンボルト９の組み合わせが、本発明の「係止手段」に相当する。アース部１５０及びアース部２０２が、本発明の「アース部材」に相当する。除電ラバー３が、本発明の「壁部保護部」に相当する。キャップ４が、本発明の「キャップ部」に相当する。設置面６が、本発明の「設置面」に相当する。フランジ面１２１ａが、本発明の「第１の面」に相当する。複数のボルト孔１２２が、本発明の遊具用静電気除去部材が取り付けられる「第１の面に開口した孔部」に相当する。アーチ部１２１が、本発明の「枠状部」に相当する。
【００７４】
なお、本発明は、上記の好ましい実施形態に記載されているが、本発明はそれだけに制限されない。本発明の精神と範囲から逸脱することのない様々な実施形態が可能である。
【００７５】
例えば、本実施形態では、合成樹脂で形成された滑降路として、滑降方向に直交する断面が真円状をなす内部密閉型の滑り台であるパイプスライダー１０７を例示したが、滑降方向に直交する断面がＵ字型又は上方に開口したコの字型などをなす上方開放型の滑り台であってもよい。
【００７６】
また、除電ユニット１及び除電ユニット２０１の形状、大きさ及び取付位置などは、滑降路に応じて適宜変更可能なことはいうまでもなく、一の滑降路に取り付けられる数量も任意である。例えば、滑降路が上方開放型の滑り台である場合には、直線状の除電ユニット１を手摺部分に設けるようにしてもよい。
【００７７】
また、導芯２は、アルミニウムで構成されたものに限定されず、導体の電気的特性（例えば、１０２〜１０３Ωｃｍの体積抵抗率）を有する金属材料であればよく、例えば、鉄や構成されてもよい。除電ラバー３は、各種導電剤を合成ゴムに配合した静電防止材に限定されず、半導電性の電気的特性（例えば、１０５〜１０８Ωｃｍ（より好適には、１０７Ωｃｍ）の体積抵抗率）を有する樹脂材料であればよい。
【００７８】
また、本体部５をパイプスライダー１０７に取り付けるための取付金具は、ボタンボルト９に限定されず、除電ラバー３の孔部３ａに嵌挿された状態で導芯２と連結される構造
（すなわち、導芯２と電気的に導通可能な構造）を有していればよい。例えば、導芯２に形成される孔部２ａに嵌入されるリベット、ボルト、ピンなどのほか、導芯２に溶着又は接着される部材であったり、導芯２に形成される切欠や突起に係合される部材であってもよい。ただし、取付金具は、少なくとも金属製の導体であることを要し、アース部１５０及びアース部２０２が電気的に導通可能となるように接続されることを要する。係止手段はポップナット１１に限られるものではない。例えば、種々の形状を有するナットであってもよく、導体孔内に形成されたネジ溝であってもよい。
【符号の説明】
【００７９】
１    除電ユニット
２    導芯
２ａ  孔部
２ｂ  係止孔
３    除電ラバー
３ａ  孔部
３ｂ  係止孔
４    キャップ
４ａ  凹陥部
４ｂ  段差部
４ｃ  ネジ孔
５    本体部
６    設置面
７ａ〜７ｄ  壁部
９    ボタンボルト
９ａ  頭部
９ｂ  胴部
１０    ワッシャー
１１    ポップナット
１２    インサートナット
１３    皿ビス
１００    総合遊具
１０１    支柱
１０２    床板
１０３    屋根
１０４    装飾パネル
１０４ａ  開口部
１０５    手摺
１０６    ビニロンネット１０６
１０７    パイプスライダー
１０９、１１０  スライダー支柱
１１１    貫通孔
１１２    スライダー入口
１１３    スライダー出口
１１４    滑降面
１２０ａ〜１２０ｅ  パイプ体
１２１    アーチ部
１２１ａ  フランジ面
１２１ｂ  裏面
１２２    ボルト孔
１５０    アース部
１５１    端子部
１５２    アース棒
１５３    コード
１６０    中空チューブ
２００    総合遊具
２０１    除電ユニット
２０２    アース部
２１０    湾曲支柱
２１１    支持支柱
２１２    アース線
２１３    六角ボルト
２１４    アース棒
２１５    取付プレート
２１６    アース取付孔
【図１】
2010088867.tif 000003
【図２】
2010088867.tif 000004
【図３】
2010088867.tif 000005
【図４】
2010088867.tif 000006
【図５】
2010088867.tif 000007
【図６】
2010088867.tif 000008
【図７】
2010088867.tif 000009
【図８】
2010088867.tif 000010
【図９】
2010088867.tif 000011
【図１０】
2010088867.tif 000012
【図１１】
2010088867.tif 000013